(57)【要約】【課題】有料部分の印刷動作が完了した時点で印刷完了を通知することで確実に課金を行うことが可能な印刷処理システムの提供を目的とする。【解決手段】テキスト文書ファイルは、テキスト文書ファイル内の有料となる実体部分の記述に有料であることを識別するマーカが付加されたものであり、印刷装置１０４は印刷開始を認証課金サーバ１０２へ通知するともに、マーカが付加された有料となる実体部分の印刷動作が完了した時点で、印刷完了を認証課金サーバ１０２へ通知する。【選択図】図１
2005141361.tif 000002
【特許請求の範囲】
【請求項１】
マークアップ言語で記述されたテキスト文書ファイルおよび同テキスト文書ファイル内でリンク表現された画像ファイルなどの印刷可能なファイルからなるコンテンツを保存するサーバと、
同サーバとネットワークにより接続され、前記サーバから前記コンテンツを取得するデータ受信手段と、
同データ受信手段により取得したコンテンツの印刷を行う印刷手段と、
前記コンテンツの印刷が有料で提供されている場合には印刷手段による印刷を要求した使用者の認証および課金を行う認証課金手段と、
から構成された印刷処理システムにおいて、
前記テキスト文書ファイルは、前記コンテンツの印刷が有料の場合には前記テキスト文書ファイル内の有料となる実体部分の記述に、有料であることを識別するマーカが付加されたものであり、
前記印刷手段は、印刷開始を前記認証課金手段へ通知する印刷開始通知手段と、前記マーカが付加された有料となる実体部分の印刷動作が完了した時点で、印刷完了を前記認証課金手段へ通知する印刷完了通知手段とを備えたものである、
ことを特徴とする印刷処理システム。
【請求項２】
前記認証課金手段は、印刷開始通知の受信から一定時間以内に印刷完了通知が受信できない場合、印刷完了待ち状態から抜け出すとともに、当該印刷を要求した使用者を特定可能な個別情報と、当該使用者の有料コンテンツの印刷開始通知の受信累計回数および印刷完了通知の受信累計回数とを保存し、これらの保存した個別情報、印刷開始通知の受信累計回数および印刷完了通知の受信累計回数を元に当該使用者が故意に印刷処理を中止し、不正に有料のコンテンツの印刷を行っていると判断される場合、当該使用者の有料のコンテンツの印刷要求に対し制限を行うことを特徴とする請求項１記載の印刷処理システム。
【発明の詳細な説明】
【技術分野】
【０００１】
本発明は、ネットワーク上のファイルを印刷可能な印刷処理システムに関する。
【背景技術】
【０００２】
近年、印刷装置の高性能化、低価格化などにより文字や画像などを手軽に高品位に印刷することが可能になってきている。また、インターネット技術の発達により、印刷したいデータも簡単に入手できるようになっている。ホームページの記述にはＨＴＭＬ（ＨｙｐｅｒＴｅｘｔ  Ｍａｒｋｕｐ  Ｌａｎｇｕａｇｅ）やＸＨＴＭＬ（ｅＸｔｅｎｓｉｂｌｅ
ＨｙｐｅｒＴｅｘｔ  Ｍａｒｋｕｐ  Ｌａｎｇｕａｇｅ）に代表されるようにタグにより文書構造を表現するマークアップ言語が用いられており、ホームページをブラウジングすることで簡単に様々な情報を入手することができる。
【０００３】
しかし、有価値データの印刷、例えば著作物やタレントの写真ファイルなどの印刷については、無制限に印刷を許すのではなく、課金などのなんらかの制限が必要である。課金のタイミングは、印刷中にジャムなどが発生する場合があるため、パーソナルコンピュータ（ＰＣ）や携帯電話へのダウンロードとは異なり、データをダウンロードした時点ではなく、印刷が完了した時点とすべきである。
【０００４】
（特許文献１）には、サーバの印刷データを取得しプリントするシステムにおいて、印刷が成功したことをサーバへ通知することで課金することが提案されている。このシステムでは、印刷の成功はジャムなどの印刷不良がなかった場合に通知されるとしている。
【０００５】
また、印刷の完了を検出する方法としては他にも、ホストコンピュータが印刷データをプリンタへ転送終了した時点とする方法、プリンタ内部バッファが開放された時点とする方法、印刷時間を予測する方法などがあるが、これらは正確に印刷完了を表わしたものではなく、ジャムなどに対応できない。その他の方法として、（特許文献２）には、印刷完了確認用の印を最終行に印刷し、読み取り装置で読み取ることで印刷完了を検出する方法が提案されている。
【特許文献１】特開２００２−１４７９６号公報（第１８頁第３３段−第２０頁第３７段）
【特許文献２】特開平３−３４８８１号公報（第２頁第４段）
【発明の開示】
【発明が解決しようとする課題】
【０００６】
上記のような印刷完了の検出方法は、必要な部分の実際の印刷完了と、印刷完了と判断されるまでとの間に時間的な開きがある。すなわち（特許文献１）では、明記はされていないが、正常に排紙された時点で印刷完了と判断されることは明らかであり、（特許文献２）では必要な部分の印刷後に印刷された印を読み取ることで印刷完了の判断を行っている。
【０００７】
このような印刷完了の検出方法では、必要な部分の印刷が完了した時点で、強制的に印刷完了の通知を妨害するような行為、例えば、強制的にジャムを発生させる、強制的に電源を切る、強制的にネットワークを切断するなどの行為に対しては対策ができない。このような強制的な印刷中止行為が可能であれば、有料印刷データに対して課金しようとしても、不正に課金から逃れることが可能となってしまう。
【０００８】
本発明は、有料部分の印刷動作が完了した時点で印刷完了を通知することで確実に課金
を行うことが可能な印刷処理システムを提供することを目的とする。
【課題を解決するための手段】
【０００９】
上記課題を解決するため、本発明の印刷処理システムは、マークアップ言語で記述されたテキスト文書ファイルおよびテキスト文書ファイル内でリンク表現された画像ファイルなどの印刷可能なファイルからなるコンテンツを保存するサーバと、サーバとネットワークにより接続され、サーバからコンテンツを取得するデータ受信手段と、データ受信手段により取得したコンテンツの印刷を行う印刷手段と、コンテンツの印刷が有料で提供されている場合には印刷手段による印刷を要求した使用者の認証および課金を行う認証課金手段とから構成された印刷処理システムにおいて、テキスト文書ファイルは、コンテンツ印刷が有料の場合にはテキスト文書ファイル内の有料となる実体部分の記述に、有料であることを識別するマーカが付加されたデータであり、印刷手段は、印刷開始を認証課金手段へ通知する印刷開始通知手段と、マーカが付加された有料となる実体部分の印刷動作が完了した時点で、印刷完了を認証課金手段へ通知する印刷完了通知手段とを備えたものであることを特徴とする。
【発明の効果】
【００１０】
本発明の印刷処理システムによれば、有料部分の印刷動作が完了した時点で印刷完了を通知することで確実に課金を行うことが可能となり、不正な印刷強制中止による課金漏れを防ぐことが可能な印刷処理システムを実現することができる。
【発明を実施するための最良の形態】
【００１１】
本願の請求項１の発明は、マークアップ言語で記述されたテキスト文書ファイルおよびテキスト文書ファイル内でリンク表現された画像などの印刷可能なファイルからなるコンテンツを保存するサーバと、サーバとネットワークにより接続され、サーバからコンテンツを取得するデータ受信手段と、データ受信手段により取得したコンテンツの印刷を行う印刷手段と、コンテンツの印刷が有料で提供されている場合には印刷手段による印刷を要求した使用者の認証および課金を行う認証課金手段とから構成された印刷処理システムにおいて、テキスト文書ファイルは、コンテンツの印刷が有料の場合にはテキスト文書ファイル内の有料となる実体部分の記述に、有料であることを識別するマーカが付加されたものであり、印刷手段は、印刷開始を認証課金手段へ通知する印刷開始通知手段と、マーカが付加された有料となる実体部分の印刷動作が完了した時点で、印刷完了を認証課金手段へ通知する印刷完了通知手段とを備えたことを特徴とする印刷処理システムであり、有料部分の印刷動作が完了した時点で印刷完了を通知することで確実に課金を行うことが可能となり、不正な印刷強制中止による課金漏れを防ぐことが可能な印刷処理システムを実現することができる。
【００１２】
請求項２の発明は、上記請求項１の発明において、認証課金手段は、印刷開始通知の受信から一定時間以内に印刷完了通知が受信できない場合、印刷完了待ち状態から抜け出すとともに、当該印刷を要求した使用者を特定可能な個別情報と、当該使用者の有料コンテンツの印刷開始通知の受信累計回数および印刷完了通知の受信累計回数とを保存し、これらの保存した個別情報、印刷開始通知の受信累計回数および印刷完了通知の受信累計回数を元に当該使用者が故意に印刷処理を中止し、不正に有料のコンテンツの印刷を行っていると判断される場合、当該使用者の有料のコンテンツの印刷要求に対し制限を行うものであることを特徴とする印刷処理システムであり、有料コンテンツの印刷開始通知の受信累計回数と印刷完了通知の受信累計回数の履歴を取ることで、有料コンテンツの印刷が不正に中止されたと判断された場合、以後の有料コンテンツの印刷要求に対して認証を行わないようにする。これにより、有料部分の印刷が完了する前に強制的に印刷完了の通知を妨害する行為に対しても、その頻度を解析することで不正行為の常習者に対して印刷の制限を加えることなどの対策が可能となり、不正な印刷強制注視による課金漏れの被害増大を
防ぐことが可能な印刷処理システムを実現することができる。
【００１３】
（実施の形態１）
以下、本発明の実施の形態について説明する。
【００１４】
図１は本発明の一実施の形態としての印刷処理システムのシステム構成図である。
【００１５】
図１に示すように、本実施の形態における印刷処理システムは、データを保存しているデータサーバ１０１、認証課金サーバ１０２、クライアント側のホスト装置１０３および印刷装置１０４を有する。データサーバ１０１、認証課金サーバ１０２、ホスト装置１０３および印刷装置１０４はそれぞれインターネットに接続されている。
【００１６】
データサーバ１０１は、ＨＴＭＬやＸＨＴＭＬといったマークアップ言語で記述されたテキスト文書ファイルおよびテキスト文書ファイル内でリンク表現された画像ファイルなどから構成されるコンテンツを保存するサーバである。また、データサーバ１０１は１つである必要はなく、テキスト文書ファイルと画像ファイルが別々のデータサーバに保存されていてもかまわない。認証課金サーバ１０２は認証と課金とに別々の機能分担されたサーバでもかまわないし、データサーバ１０１が兼ねてもかまわない。
【００１７】
ホスト装置１０３はインターネット上のコンテンツの在処であるＵＲＬ（Ｕｎｉｆｏｒｍ  Ｒｅｓｏｕｒｃｅ  Ｌｏｃａｔｏｒ）を指定する機能さえあればよく、パーソナルコンピュータでも良いし、インターネット対応テレビでも良い。但し、コンテンツをホスト装置１０３へ全て蓄積してから処理する形態では、コンテンツの２次利用などが容易に可能となってしまい、課金に問題が生じることが考えられる。よって比較的メモリ資源の少ない印刷装置１０４がデータサーバ１０１へアクセスし、必要なコンテンツを都度取得するプルプリント形態の方が適している。
【００１８】
有料のコンテンツを印刷する場合、ホスト装置１０３はインターネットのブラウジング等により、データサーバ１０１に保存された印刷したいテキスト文書ファイルのＵＲＬを取得する。ホスト装置１０３は、使用者を特定可能な識別情報を認証課金サーバ１０２へ転送する。認証課金サーバ１０２は使用者の認証を行い、認証結果をホスト装置１０３に対し通知する。認証された場合、使用者によるデータサーバ１０１へのアクセスが許可され、認証されなかった場合は許可されない。
【００１９】
認証された場合、ホスト装置１０３は印刷したいテキスト文書ファイルのＵＲＬを、認証結果を添えて印刷装置１０４へ転送する。印刷装置１０４はデータサーバ１０１に対し、所望のテキスト文書ファイルのＵＲＬに認証結果を添えてアクセス許可を要求する。データサーバ１０１は認証内容が一致した場合、印刷装置１０４からのアクセスを許可し、印刷装置１０４は所望のテキスト文書ファイルを得ることができる。
【００２０】
印刷装置１０４はマークアップ言語で記述されているテキスト文書ファイルの記述内容の解析を行い、もしテキスト文書ファイル中に画像ファイルへのリンクが貼られていたら、データサーバ１０１に対しリンク先のＵＲＬに認証結果を添えてアクセス許可を要求する。データサーバ１０１は認証が一致した場合、印刷装置１０４からのアクセスを許可し、印刷装置１０４は所望の画像ファイルを得ることができる。
【００２１】
印刷装置１０４は取得したテキスト文書ファイルと画像ファイルをもとに印刷データを生成し印刷を行う。印刷装置１０４は、印刷が完了したら認証結果を添えて印刷完了を認証課金サーバ１０２へ通知し、認証課金サーバ１０２は課金を行うとともにデータサーバ１０１へのアクセスを禁止する。なお、本発明では印刷完了の検出方法に主眼を置いてい
るため、認証、課金の具体的方法や手順については、上記の方法にこだわらない。
【００２２】
図２に印刷装置１０４のシステム構成図を示す。図２に示すように、印刷装置１０４は、印刷装置１０４のシステム全体を管理するシステム管理部２０１、外部のネットワーク（インターネット等）との通信を行う通信管理部２０２、ＨＴＭＬやＸＨＴＭＬなどのマークアップ言語で記述されたテキスト文書ファイルを解析するテキスト文書解析部２０３、イメージデータを生成するイメージデータ生成部２０４、および実際の印刷ヘッドに適したヘッドデータを生成するヘッドデータ生成部２０５を備える。
【００２３】
テキスト文書解析部２０３は、さらに、テキスト文書ファイルの構文を解析するパーサ部２０６、およびパーサ部２０６の解析結果を元に印刷用紙へのレイアウトを決定するレイアウト部２０７から構成される。イメージデータ生成部２０４は、さらに、レイアウト部２０７で決定されたレイアウトに従ってビットマップ展開イメージを作成するラスタライズ部２０８、および画像ファイルのデータをデコードするデコード部２０９から構成されている。なお、実際のシステムにおいてはジョブ管理やメモリ管理を行うブロックなどが必要であるが、図中においては省略してある。
【００２４】
以下、図２と図３のフローチャートにより印刷装置１０４の処理の流れを説明する。
【００２５】
印刷装置１０４は、まず、通信管理部２０２を介してマークアップ言語で記述されたテキスト文書ファイルを取得する（ＳＴＥＰ３００）。そして、パーサ部２０６によりこの取得したテキスト文書ファイルの構文を解析し（ＳＴＥＰ３０１）、レイアウト部２０７により印刷用紙に収まるべくレイアウトを調整し、この調整されたレイアウト情報を含んだディスプレイリストを生成する（ＳＴＥＰ３０２）。ディスプレイリストには、文字、図形、画像などのオブジェクトの位置座標やオブジェクト特有の情報などが記述される。画像のディスプレイリストには、画像ファイルの実体ではなく画像ファイルの在処であるＵＲＬが記述されている。少なくとも１ページ分のレイアウトが確定すると、ディスプレイリストはイメージデータ生成部２０４へ転送される。
【００２６】
イメージデータ生成部２０４はバンドメモリを取得し（ＳＴＥＰ３０３）、ディスプレイリストを解析してバンドメモリ内に含まれるオブジェクトを抽出する（ＳＴＥＰ３０４）。次に、オブジェクトの種類を判断し（ＳＴＥＰ３０５）、オブジェクトが画像でない場合は、ラスタライズ部２０８によりそのままバンドメモリへバンド単位でラスタライズ処理を行う（ＳＴＥＰ３０８）。一方、オブジェクトが画像の場合は、ＵＲＬを元にデータサーバ１０１にアクセスして画像ファイルを取得し（ＳＴＥＰ３０６）、デコーダ部２０９によりデコード（ＳＴＥＰ３０７）しつつ、ラスタライズ部２０８によりバンドメモリへバンド単位でラスタライズ処理を行う（ＳＴＥＰ３０８）。
【００２７】
ラスタライズされたバンドデータはヘッドデータ生成部２０５に転送され（ＳＴＥＰ３０９）、次のバンドが必要かどうかを判断する（ＳＴＥＰ３１０）。次のバンドが必要な場合はバンドメモリの取得（ＳＴＥＰ３０３）から繰り返し、不要な場合は処理を終了する（ＳＴＥＰ３１１）。
【００２８】
ヘッドデータ生成部２０５は、バンドデータを実際の印刷ヘッドの構造に適合したヘッドデータへの変換を行う。ヘッドデータへの変換とは、ラスタライズ後の画像データは一般にＲＧＢ（Ｒｅｄ−Ｇｒｅｅｎ−Ｂｌｕｅ）各色８ビット（ｂｉｔ）程度のフルカラーで表現されるが、これをインク色であるＣＭＹ（Ｃｙａｎ−Ｍａｇｅｎｔａ−Ｙｅｌｌｏｗ）あるいはＣＭＹＫ（Ｃｙａｎ−Ｍａｇｅｎｔａ−Ｙｅｌｌｏｗ−ｂｌａｃＫ）へ変換する色変換処理と、ヘッドで表現可能な階調数へ低減するためのディザや誤差拡散といった擬似階調処理と、物理的なヘッド解像度以上の印刷解像度を得るためのマルチパス走査
のヘッドデータへの変換処理とが含まれる。
【００２９】
このうちマルチパスヘッドデータへの変換を図４を用いて説明する。画像データが１２００ｄｐｉ、印刷ヘッドが３００ｄｐｉとすると、印刷パス毎に副走査方向へ１２００ｄｐｉずつずらして４回走査し、５パス目に副走査方向へ１ヘッド分ずらすように走査すれば３００ｄｐｉのヘッドでも１２００ｄｐｉの印刷が可能である。このときヘッドデータは画像データのラインを３ラインおきに間引いたデータとなる。なお、マルチパス走査の方法自体は、本発明においては特にこだわらない。
【００３０】
図５に有料コンテンツのテキスト文書ファイルの例を示す。同図（ａ）は印刷された後のイメージを表わしている。この例の有料コンテンツにおいては、真に有価値な部分（有料となる実態部分）は網掛けで表わした画像ｘｘｘ．ｘｘｘの部分のみであり、他のヘッダ部分やフッタ部分（例えば、タイトル、日付、データ提供者の情報など）には特に価値らしきものはないものとする。
【００３１】
この有料コンテンツのテキスト文書ファイルをＨＴＭＬで表わした例が図５（ｂ）および（ｃ）である。テキスト文書ファイル内に有価値部分を特定するために、図５（ｂ）では＜ｃｈａｒｇｅ＞＜／ｃｈａｒｇｅ＞という有料であることを識別するマーカとしてのタグを定義し、図５（ｃ）では同様にｃｈａｒｇｅ＝“ｏｎ”というマーカとしての属性を定義している。図５（ｂ）、（ｃ）のどちらでも有価値部分を特定して表現することが可能であり、どちらの方法でもかまわない。
【００３２】
図５（ｄ）は、同図（ｂ）あるいは（ｃ）のテキスト文書ファイルをレイアウト生成部２０７によりディスプレイリストへ変換した例である。ディスプレイリストの上段には各オブジェクトで共通の項目、下段にはオブジェクト種類毎に特有の情報を記述している。ディスプレイリストには、そのオブジェクトのファイルが有料か無料かを識別するための情報を記述するようにしている。すなわち、レイアウト生成部２０７は、テキスト文書ファイル内に＜ｃｈａｒｇｅ＞＜／ｃｈａｒｇｅ＞タグあるいはｃｈａｒｇｅ＝“ｏｎ”属性があれば、ディスプレイリストに有料であることを記述し、それ以外では無料であることを記述する。よって、図５（ｂ）あるいは（ｃ）の例のテキスト文書ファイルは、同図（ｄ）のディスプレイリストに示されるように、オブジェクト毎に有料か無料に関する情報を設定することができる。
【００３３】
次に、図６の例を用いてラスタライズ部２０８によるラスタライズ処理について説明する。図６に示すようにディスプレイリストを元にバンド単位でラスタライズを行う。バンド単位でのラスタライズ処理を行うのは、メモリ資源の節約のためであり、ページプリンタ以外のインクジェットプリンタなど家庭で一般的なプリンタでは通常に行われていることである。ディスプレイリストとバンド処理によって、バンド内のどの位置にオブジェクトがあるかを容易に知ることができ、例えば各バンドの各ラインに有料オブジェクトが含まれていたら１、含まれていなければ０といったような識別情報を記憶するようにすることも容易に行うことができる。例えばこの識別情報をバンドのライン数を要素数とした配列Ｃで表現し、要素番号（＝ライン番号）をＹで表わすと、図６の例ではバンド１、５および６には有料オブジェクトが含まれていないので配列Ｃ［Ｙ］は全て０となり、バンド２はＹ＝０〜ａでＣ［Ｙ］＝０、Ｙ＝ａ＋１〜ｂでＣ［Ｙ］＝１となり、バンド３は配列Ｃ［Ｙ］が全て１となり、バンド４はＹ＝０〜ｄでＣ［Ｙ］＝１、Ｙ＝ｄ＋１〜ｅでＣ［Ｙ］＝０となる。このようにすることで、ライン単位で有料か無料かの判断ができるようにする。
【００３４】
次に、図７の例を用いて印刷装置１０４による印刷開始の検出方法について説明する。図７で網掛けの部分が有料オブジェクトを表わしている。ラインに有料オブジェクトが含
まれているかどうかを示す配列Ｃ［Ｙ］の値は図中に示したようになる。この印刷データに基づいてマルチパス走査を行う場合、１パス目、２パス目の走査には有料オブジェクトが含まれておらず、３パス目から有料オブジェクトが含まれている。よって３パス目の開始と同時に、印刷開始を認証課金サーバ１０２へ通知すれば有料オブジェクトの印刷開始を正確に知ることができる。なお、印刷開始は有料オブジェクトの印刷開始ではなく、コンテンツ全体の印刷開始とすることもできる。この場合、正確さは失われるが、機能的に問題はない。この印刷開始の通知は、印刷装置１０４のシステム管理部２０１が行う。
【００３５】
次に、図８の例を用いて印刷装置１０４による印刷完了の検出方法について説明する。図８で網掛けの部分が有料オブジェクトを表わしている。Ｃ［Ｙ］を調べると、１〜３パス目まで有料オブジェクトが含まれており、４パス目に有料オブジェクトが含まれなくなる。よって４パス目の開始と同時に、有料オブジェクトの印刷完了を認証課金サーバ１０２へ通知すればよい。この印刷完了の通知は、印刷装置１０４のシステム管理部２０１が行う。このように本実施の形態においては、印刷パス毎に有料オブジェクトが含まれているかどうかを判断できるため、前述の印刷開始の検出方法と組み合わせることで、印刷パス単位で有料オブジェクトに対する印刷動作開始、完了を確実に検出することが可能である。認証課金サーバ１０２はこの有料オブジェクトの印刷完了通知を受信したタイミングで課金を行うことで、フッタ部分で不正に印刷中止した場合でも、確実に課金することが可能である。
【００３６】
次に、コンテンツの有料部分の印刷が完了する前に強制的に印刷完了の通知を妨害する行為に対して印刷の制限を加えることが可能な印刷処理システムについて説明する。図９に示すように、有料オブジェクトの印刷が完了する以前に、不正に印刷を中止された場合に、有料オブジェクトの印刷完了が検出されないので課金ができない。この場合の印刷結果は、有料オブジェクトの末端がかすれたような結果になるが、そのことを割り切って使用したり、あるいは印刷物を正常な部分だけ切り取ったりなどすれば、実使用上なんの問題もなく使用できてしまう場合がある。
【００３７】
そこで、認証課金サーバ１０２は、有料オブジェクトの印刷開始を受信するとタイマ動作を開始し、有料オブジェクトの印刷完了受信待ち状態とする。認証課金サーバ１０２は、一定時間を経過しても有料オブジェクトの印刷完了を受信できない場合に、待ち状態を解除し、認証情報を元に使用者の使用状況の履歴として使用者の有料オブジェクトの印刷要求の受信累計回数と、有料オブジェクトの印刷完了の受信累計回数に関する情報を記憶しておく。ここで、一定時間とは特に正確な時間が必要なわけではなく、ほぼ常識的に印刷に要する時間以上であればよい。正常に有料オブジェクトの印刷を完了した場合は、有料オブジェクトの印刷要求の受信累計回数と有料オブジェクトの印刷完了の受信累計回数はともにカウントアップされる。しかし、途中で印刷が中止された場合は、有料オブジェクトの印刷要求の受信累計回数はカウントアップされるが、有料オブジェクトの印刷完了の受信累計回数は変化しないことになる。この印刷要求の受信累計回数と印刷完了の受信累計回数の情報により、不正に途中で印刷処理を中止していると判断される場合は、この使用者の以後の有料オブジェクトの印刷要求に対して、認証課金サーバ１０２で認証を行わない等の制限を加えることで、不正印刷の拡大を防止することが可能である。不正の判断方法としては、印刷要求の受信累計回数と印刷完了の受信累計回数の比が一定値以上である場合に不正と判断する方法や、印刷中止の受信累計回数（＝印刷要求の受信累計回数−印刷完了の受信累計回数）が一定回数以上である場合に不正と判断する方法などが考えられる。
【産業上の利用可能性】
【００３８】
本発明の印刷処理システムは、ネットワーク上のファイルの印刷に対する課金を行うシステムとして有用であり、特に、不正な印刷強制中止による課金漏れを防ぐための印刷処
理システムとして好適である。
【図面の簡単な説明】
【００３９】
【図１】本発明の一実施の形態としての印刷処理システムのシステム構成図
【図２】図１の印刷装置のシステム構成図
【図３】図１の印刷装置の処理の流れを示すフローチャート
【図４】図１の印刷装置によるマルチパス印刷の説明図
【図５】有料コンテンツの例を示す図
【図６】図１の印刷装置によるバンド処理の説明図
【図７】図１の印刷装置による有料オブジェクトの印刷開始の検出方法についての説明図
【図８】図１の印刷装置による有料オブジェクトの印刷完了の検出方法についての説明図
【図９】有料オブジェクトの印刷中止状態の説明図
【符号の説明】
【００４０】
１０１    データサーバ
１０２    認証課金サーバ
１０３    ホスト装置
１０４    印刷装置
２０１    システム管理部
２０２    通信管理部
２０３    テキスト文書解析部
２０４    イメージデータ生成部
２０５    ヘッドデータ生成部
２０６    パーサ部
２０７    レイアウト生成部
２０８    ラスタライズ部
２０９    デコーダ部
【図１】
2005141361.tif 000003
【図２】
2005141361.tif 000004
【図３】
2005141361.tif 000005
【図４】
2005141361.tif 000006
【図５】
2005141361.tif 000007
【図６】
2005141361.tif 000008
【図７】
2005141361.tif 000009
【図８】
2005141361.tif 000010
【図９】
2005141361.tif 000011